(57)【要約】【課題】機器内のノイズ源のモードに応じて異なる複数の特性のノイズピックアップセンサを設置することなく、最適な特性にてノイズピックアップが可能な機器内干渉ノイズのキャンセルシステムを提供する。【解決手段】筐体形状が変化したとき、第２の筐体１００２と連動して動く第１の支点２の動きが第１のコネクティングロッド３に伝わり、第１のコネクティングロッド３は形状変化可能なノイズピックアップセンサ１の形状を変更することにより、ノイズピックアップセンサ１の形状は主たるノイズ源のモードに最適な特性を有する形状となり、各筐体形状で最も支配的なノイズを感度良くセンシングする。【選択図】図１（ａ）
2011205318.tif 000002
【特許請求の範囲】
【請求項１】
形状が変化する筐体と、
主受信系と、
前記筐体の内部のノイズを取得する形状変化可能なノイズピックアップセンサと、
前記ノイズピックアップサンサが取得したノイズを基に、前記主受信系に回り込んだノイズ分を相殺する加算部と、
を備え、
前記筐体の形状の変化に応じて移動する第1の支点と、前記第１の支点の動きを前記ノイズピックアップセンサに伝える第１のコネクティングロッドと、前記第１のコネクティングロッドの動きによって、前記ノイズピックアップセンサの形状を変化させる第２の支点と、
を有する通信機器。
【請求項２】
請求項１に記載の通信機器であって、前記ノイズピックアップセンサは、センサ素子の面積を変化可能に構成される通信機器。
【請求項３】
請求項１に記載の通信機器であって、前記ノイズピックアップセンサは、センサ素子の長さを変化可能に構成される通信機器。
【請求項４】
請求項１に記載の通信機器であって、前記ノイズピックアップセンサは、センサ素子が形成する形状を変化可能に構成される通信機器。
【請求項５】
請求項１に記載の通信機器であって、前記第１のコネクティングロッドの運動方向および／もしくは運動量を変える第４の支点と、前記第４の支点を介した運動方向および／もしくは運動量を前記ノイズピックアップセンサに伝える第２のコネクティングロッドと、
を有する通信機器。
【請求項６】
請求項５に記載の通信機器であって、前記第１の支点および／もしくは前記第２の支点および／もしくは前記第４の支点は、てこの支柱もしくは摺動子により構成される通信機器。
【請求項７】
請求項５に記載の通信機器であって、前記第１の支点および／もしくは前記第２の支点および／もしくは前記第４の支点は回転軸により構成され、前記第1のコネクティングロッドおよび／もしくは前記第２のコネクティングロッドは、前記回転軸の回転方向に運動方向および／もしくは運動量を変化させる通信機器。
【請求項８】
請求項５から請求項７のいずれか１項に記載の通信機器であって、
前記第２の支点と連動する第３のコネクティングロッドと、
前記第1のコネクティングロッドの動きを前記第３のコネクティングロッドに選択的に伝える連動選択支点と、
前記連動選択支点を選択する機能設定部と、
を有する通信機器。
【発明の詳細な説明】
【技術分野】
【０００１】
本発明は、主受信アンテナに回り込んだ機器内発生ノイズを相殺する事で感度劣化を低減する機器内にノイズキャンセル機能を備える携帯端末等の通信機器に関する。
【背景技術】
【０００２】
通信及び放送に用いられる無線信号を受信する受信端末において、内蔵する回路機能、例えばCPUやメモリ、受信信号を処理する演算回路、またそれらを動作させる基準クロック発生器などが発生する信号やその高調波成分が、受信信号の無線周波数帯域に受信信号の干渉成分となって、受信信号の品質を劣化させるという内部干渉、いわゆる「自家中毒」が問題になっている。
【０００３】
近年受信端末は多機能化が進められ、その内部に内蔵する回路機能は増加し、内部で取り扱う信号もディジタル化が進むとともに、その処理速度や処理する情報量も増加している。例えば画面の高精細化・大画面化、音の高品質化、動作の高速化、ユーザインタフェースの向上などである。それに伴い通信周波数は多様化し、回路の動作周波数は種類が増えるとともに周波数が上がる傾向にある。また同時に動作するアプリケーションも増える傾向にある。
【０００４】
一方で、機器は小型化が求められ、受信信号を受信するアンテナも小型化や内蔵化が進んでいる。このため、内部で発生する受信信号の無線周波数帯域に発生する干渉成分は増加し、また小型化により基板サイズがより小さくなったり、機器内でのクリアランスが小さくなったりと、ノイズ源と影響を受けるブロックを空間的に離すことで廻り込みを低減する手法も採りづらくなってきているため、干渉成分を発生する回路と受信アンテナとの結合が大きくなることにより、内部干渉の課題はいっそう大きくなっている。
【０００５】
この課題の対策のため、受信信号の品質を劣化させない回路の配置の最適化や、干渉成分の不要な伝送を抑圧するためのバイパスコンデンサやチョークコイル、フィルタ、シールドなど内部干渉対策部品の追加などが必要となり、受信機器や端末の設計工数の増加や原価の増加、装置の大型化の原因となっている。これら、ノイズによる内部干渉の課題を解決するため、ノイズを抑圧する様々な手法が提案されている。ノイズによる内部干渉の課題を解決するため、ノイズ抑圧の従来技術については、例えば特許文献１に開示されているような技術が知られている。
【０００６】
図１０は特許文献１に開示されている従来のノイズ抑圧技術を説明するブロック図である。携帯端末１２０１内には、希望波であるワンセグ受信信号にノイズを重畳させるノイズ源として、第１ノイズ源１００８、第2ノイズ源１００９、第３ノイズ源１０１０、第４ノイズ源１０１１があり、それぞれにノイズをピックアップするノイズセンサ１１１０、１１２０、１１３０、１１４０が取り付けられている。第１ノイズ１００８ａは第１ノイズ源１００８としてのアプリケーションＬＳＩ用クロックの高調波からの放射ノイズであり、第２ノイズ１００９ａは第１の基板１００６と第２の基板１００７との間の第2ノイズ源１００９としてのＦＰＣ１０１３を通るＬＣＤモジュール用クロックの高調波からの放射ノイズであり、第３ノイズ１０１０ａは第３ノイズ源１０１０としてのＬＥＤドライバのＤＣ／ＤＣコンバータからの放射ノイズであり、そして第４ノイズ１０１１ａは第４ノイズ源１０１１としてのＷ−ＣＤＭＡ無線機の送信波のＤＴＶ帯放射ノイズである。ノイズキャンセル部１１５０の中のノイズ生成部１５１は、第１ノイズ源１００８から第４ノイズ源１０１１までの各ノイズセンサにより捕捉したノイズを足し合わせ、ワンセグ受信用アンテナ１００４で干渉が想定されるノイズを生成する。ノイズキャンセル部１１５０は、ノイズ生成部１１５１で生成したノイズと、ワンセグ受信用アンテナ１００４に干渉する携帯端末内部の放射ノイズ（第１ノイズ１００８ａ、第２ノイズ１００９ａ、第３ノイズ１０１０ａ、第４ノイズ１０１１ａ）の差分をとることによりノイズを相殺し、ＤＴＶ帯の希望波のみを抽出する、という構成である。
【０００７】
このように、希望波に影響を与える各ノイズ源にセンサを配置し、適正に各ノイズが取得でき、また適度な配分で相殺ノイズが生成できれば、希望波のみを取り出すことができる。しかし近年の無線携帯端末は、増え続ける機能と小型化の要求により、下記の課題を生じる。
（適切なノイズセンサを配置させることへの課題）
（１）ノイズセンサは、対象とするノイズだけを高い利得でセンシングできるために、ノイズ源のモードに応じた特性のセンサを配置することが望ましい。一例としては、電界型の輻射モードのノイズ源に対しては電界型センサが、磁界型の輻射モードのノイズ源に対しては磁界型センサの配置が望ましい。
（２）機器内で動作する機能・アプリによってデバイスの動作モードは異なることがある。そのためノイズ源となるデバイスからノイズ源のモードも動作する機能・アプリによって異なることがある。しかし、機器内のノイズ源のモードに応じた異なる特性の複数のノイズピックアップセンサをノイズ源に近傍する位置に配置することは物理的に困難が大きい。また多くのセンサを筐体内に配置し、それぞれをノイズキャンセル部まで適切に配線することも難しいし、コストの点でも不利である。
【０００８】
つまり、近年の無線携帯端末のように多くのノイズ源とノイズ源のモードをもつ機器においては、ノイズ源のモードに応じた異なる特性の複数のノイズピックアップセンサを設けることは非常に困難である。
【先行技術文献】
【特許文献】
【０００９】
【特許文献１】特開２００８−２４４９８７号公報
【発明の概要】
【発明が解決しようとする課題】
【００１０】
本発明は、上記事情に鑑みてなされたもので、機器内のノイズ源のモードに応じて異なる複数の特性のノイズピックアップセンサを設置することなく、最適な特性にてノイズピックアップが可能なノイズキャンセル機能を備える通信機器を提供することを目的とする。
【課題を解決するための手段】
【００１１】
本発明の通信機器は、主受信系と、前記筐体の内部のノイズを取得する形状変化可能なノイズピックアップセンサと、前記ノイズピックアップサンサが取得したノイズを基に、前記主受信系に回り込んだノイズ分を相殺する加算部と、を備え、前記筐体の形状の変化に応じて移動する第1の支点と、前記第１の支点の動きを前記ノイズピックアップセンサに伝える第１のコネクティングロッドと、前記第１のコネクティングロッドの動きによって、前記ノイズピックアップセンサの形状を変化させる第２の支点と、を備える。
【００１２】
この構成により、機器筐体の形状変化によりノイズ源のモードが変わっても、ノイズピックアップセンサの形状を最適に変化できるため、形状に応じた特性に変化させることができ、ノイズ源のモードに応じた特性のピックアップセンサを複数配置せずとも、対象とするノイズ源からのノイズだけを高い利得でセンシングできる。またそのため、より精密なノイズキャンセル動作ができることとなり、所望の受信感度をより向上させることが出来る。
【００１３】
また、本発明の通信機器は、上記構成において、前記ノイズピックアップセンサが、センサ素子の面積を変化可能に構成されるようにした。
【００１４】
この構成により、筐体形状の変化によりノイズ源の周波数や偏波のモードが変わっても、パッチアンテナ（マイクロストリップアンテナ）で構成されたノイズピックアップセンサの形状を最適に変化できるため、形状に応じた特性に変化させることができ、ノイズ源のモードに応じてピックアップセンサを配置せずとも、対象とするノイズ源からのノイズだけを高い利得でセンシングできる。またそのため、より精密なノイズキャンセル動作ができることとなり、所望の受信感度をより向上させることが出来る。またノイズ源が不変の場合に、筐体形状の変化により主アンテナの電流分布が変わることでノイズの廻り込み状態が変化する状況においても、ノイズピックアップセンサの形状を最適に変化できる。
【００１５】
また、本発明の通信機器は、上記構成において、前記ノイズピックアップセンサが、センサ素子の長さを変化可能に構成されるようにした。
【００１６】
この構成により、筐体形状の変化によりノイズ源の周波数や偏波のモードが変わっても、モノポールアンテナやダイポールアンテナで構成されたノイズピックアップセンサの形状を最適に変化できるため、形状に応じた特性に変化させることができ、ノイズ源のモードに応じてピックアップセンサを配置せずとも、対象とするノイズ源からのノイズだけを高い利得でセンシングできる。またそのため、より精密なノイズキャンセル動作ができることとなり、所望の受信感度をより向上させることが出来る。またノイズ源が不変の場合に、筐体形状の変化により主アンテナの電流分布が変わることでノイズの廻り込み状態が変化する状況においても、ノイズピックアップセンサの形状を最適に変化できる。
【００１７】
また、本発明の通信機器は、上記構成において、前記ノイズピックアップセンサが、センサ素子が形成する形状を変化可能に構成されるようにした。
【００１８】
この構成により、同一の素子でモノポールアンテナとループアンテナの構成を切替えてノイズピックアップセンサの形状を最適に変化できるため、形状に応じた特性に変化させることができ、ノイズ源の輻射モードが、電界型であるか磁界型であるかに応じて構成が異なるピックアップセンサを配置せずとも、対象とするノイズ源からのノイズだけを高い利得でセンシングできる。またそのため、より精密なノイズキャンセル動作ができることとなり、所望の受信感度をより向上させることが出来る。またノイズ源が不変の場合に、筐体形状の変化により主アンテナの電流分布が変わることでノイズの廻り込み状態が変化する状況においても、ノイズピックアップセンサの形状を最適に変化できる。
【００１９】
また、本発明の通信機器は、上記構成において、さらに、前記第１のコネクティングロッドの運動方向および／もしくは運動量を変える第４の支点と、前記第４の支点を介した運動方向および／もしくは運動量を前記ノイズピックアップセンサに伝える第２のコネクティングロッドと、を備えた構成を有している。
【００２０】
この構成により、機器の形状変化による運動の方向や量を変化できるため、筐体の厚み方向などより多様なピックアップセンサの形状変化に対応が可能となり、そのためにより最適な形状にノイズピックアップセンサを変形可能なため、形状に応じた特性に変化させることができ、対象ノイズをより高い利得でセンシングでき、より精密なノイズキャンセル動作ができることとなる。
【００２１】
また、本発明の通信機器は、上記構成において、前記第１の支点および／もしくは前記第２の支点および／もしくは前記第４の支点は、てこの支柱もしくは摺動子により構成されるようにした。
【００２２】
この構成により、機器の形状変化による運動の方向や量をより複雑に変化できるため、さらに多様なピックアップセンサの形状変化に対応が可能となる。そのためにより最適な形状にノイズピックアップセンサを変形可能なため、形状に応じた特性に変化させることができ、対象ノイズをさらに高い利得でセンシングでき、より一層精密なノイズキャンセル動作ができることとなる。
【００２３】
また、本発明の通信機器は、上記構成において、前記第１の支点および／もしくは前記第２の支点および／もしくは前記第４の支点は回転軸により構成され、前記第1のコネクティングロッドおよび／もしくは前記第２のコネクティングロッドは、前記回転軸の回転方向に運動方向および／もしくは運動量を変化させるようにした。
【００２４】
この構成により、機器の形状変化による運動の方向を回転動作も含めてより複雑に変化できるため、さらに多様なピックアップセンサの形状変化に対応が可能となる。そのため最適な形状にノイズピックアップセンサを変形可能なため、形状に応じた特性に変化させることができ、対象ノイズをさらに高い利得でセンシングでき、より一層精密なノイズキャンセル動作ができることとなる。
【００２５】
また、本発明の通信機器は、上記構成において、さらに、前記第２の支点と連動する第３のコネクティングロッドと、前記第1のコネクティングロッドの動きを前記第３のコネクティングロッドに選択的に伝える連動選択支点と、前記連動選択支点を選択する機能設定部と、を有する。
【００２６】
この構成により、各筐体形状変化に連動する複数のコネクティングロッドから、クランクは、追従するコネクティングロッドを選んでノイズピックアップセンサを動かすことができるため、筐体の形状変化とノイズ源の組合せが複数であっても、最適な形状にノイズピックアップセンサを変形可能であるため、形状に応じた特性に変化させることができ、さらに一層精密なノイズキャンセル動作ができることとなる。
【発明の効果】
【００２７】
本発明によれば、機器内のノイズ源のモードに応じて異なる複数の特性のノイズピックアップセンサを設置することなく、最適な特性にてノイズのピックアップをすることで安定したキャンセル動作ができるノイズキャンセル機能を備える通信機器を提供できる。
【図面の簡単な説明】
【００２８】
【図１（ａ）】本発明の第１の実施形態に係るノイズキャンセルシステム（通信機器）のノイズピックアップセンサの動作例を示す構成図
【図１（ｂ）】本発明の第１の実施形態に係るノイズキャンセルシステム（通信機器）のノイズピックアップセンサの動作例を示す構成図（ループ形状）
【図１（ｃ）】本発明の第１の実施形態に係るノイズキャンセルシステム（通信機器）のノイズピックアップセンサの動作例を示す構成図（ポール形状）
【図１（ｄ）】図１（ａ）での第１の支点をスライド受けで構成した場合を説明する説明図
【図１（ｅ）】本発明の第１の実施形態に係る構成で形状により接地を変化させる場合を説明する説明図（ループ形状）
【図１（ｆ）】本発明の第１の実施形態に係る構成で形状により接地を変化させる場合を説明する説明図（ポール形状）
【図２（ａ）】本発明の第２の実施形態に係るノイズキャンセルシステム（通信機器）のノイズピックアップセンサの動作例を示す構成図
【図２（ｂ）】本発明の第２の実施形態に係るノイズキャンセルシステム（通信機器）のノイズピックアップセンサの動作例を示す構成図（ポール形状）
【図２（ｃ）】本発明の第２の実施形態に係るノイズキャンセルシステム（通信機器）のノイズピックアップセンサの動作例を示す構成図（パッチ形状）
【図３（ａ）】本発明の第３の実施形態に係るノイズキャンセルシステム（通信機器）のノイズピックアップセンサの動作例を示す構成図
【図３（ｂ）】本発明の第３の実施形態に係るノイズキャンセルシステム（通信機器）のノイズピックアップセンサの動作例を示す構成図（短いロッド形状）
【図３（ｃ）】本発明の第３の実施形態に係るノイズキャンセルシステム（通信機器）のノイズピックアップセンサの動作例を示す構成図（長いロッド形状）
【図４（ａ）】本発明の第４の実施形態に係るノイズキャンセルシステム（通信機器）のノイズピックアップセンサの動作例を示す構成図（面積小のパッチ形状）
【図４（ｂ）】本発明の第４の実施形態に係るノイズキャンセルシステム（通信機器）のノイズピックアップセンサの動作例を示す構成図（面積大のパッチ形状）
【図５（ａ）】本発明の第５の実施形態に係るノイズキャンセルシステム（通信機器）のノイズピックアップセンサの動作例を示す構成図
【図５（ｂ）】図５（ａ）でのノイズピックアップセンサ１の動きが判り易いように一部機能を抜粋した構成図（モノポール形状）
【図５（ｃ）】図５（ａ）でのノイズピックアップセンサ１の動きが判り易いように一部機能を抜粋した構成図（ダイポール形状）
【図５（ｄ）】第4の支点４と第2のコネクティングロッド５がテコを構成する説明図
【図６（ａ）】本発明の第６の実施形態に係るノイズキャンセルシステム（通信機器）のノイズピックアップセンサの動作例を示す構成図
【図６（ｂ）】図６（ａ）でのノイズピックアップセンサ１の動きが判り易いように一部機能を抜粋した構成図（コイル形状）
【図６（ｃ）】図６（ａ）でのノイズピックアップセンサ１の動きが判り易いように一部機能を抜粋した構成図（ポール形状）
【図７（ａ）】本発明の第７の実施形態に係るノイズキャンセルシステム（通信機器）のノイズピックアップセンサの動作例を示す構成図
【図７（ｂ）】図７（ａ）でのノイズピックアップセンサ１の動きが判り易いように一部機能を抜粋した構成図（ループ形状）
【図７（ｃ）】図７（ａ）でのノイズピックアップセンサ１の動きが判り易いように一部機能を抜粋した構成図（ポール形状）
【図８（ａ）】本発明の第８の実施形態に係るノイズキャンセルシステム（通信機器）のノイズピックアップセンサ１の動きが判り易いように一部機能を抜粋した構成図（ループ形状）
【図８（ｂ）】本発明の第８の実施形態に係るノイズキャンセルシステム（通信機器）のノイズピックアップセンサ１の動きが判り易いように一部機能を抜粋した構成図（ループ形状からパッチ形状に遷移中）
【図８（ｃ）】本発明の第８の実施形態に係るノイズキャンセルシステム（通信機器）のノイズピックアップセンサ１の動きが判り易いように一部機能を抜粋した構成図（パッチ形状）
【図９】本発明の第１の実施形態に係るノイズキャンセルシステム（通信機器）の構成例を示すブロック図
【図１０】特許文献１に開示されている従来のノイズ抑圧技術を説明するブロック図
【発明を実施するための形態】
【００２９】
（第１の実施形態）
本実施形態では、筐体形状の変化により端末動作が変わることでノイズ源のモードも変化する場合について本発明の実施形態を説明する。まず図１（ａ）から図１（ｆ）を用いて、筐体形状の変化によるノイズピックアップセンサの形状変化に着目して説明する。まずその構成を説明する。
【００３０】
図１（ａ）は本発明の第１の実施形態に係るノイズキャンセルシステム（通信機器）のノイズピックアップセンサの動作例を示す構成図である。いま筐体は折り畳み型端末であるとし、図１（ａ）では折り畳み型端末の筐体形状が閉じから開きに遷移した形態を示している。図１（ｂ）は本発明の第１の実施形態に係るノイズキャンセルシステム（通信機器）のノイズピックアップセンサの動作例を示す構成図（ループ形状）であり、図１（ｃ）は本発明の第１の実施形態に係るノイズキャンセルシステム（通信機器）のノイズピックアップセンサの動作例を示す構成図（ポール形状）である。また図１（ｄ）は、図１（ａ）での第１の支点をスライド受けで構成した場合を説明する説明図である。さらに図１（ｅ）は本発明の第１の実施形態に係る構成で形状により接地を変化させる場合を説明する説明図（ループ形状）、図１（ｆ）は本発明の第１の実施形態に係る構成で形状により接地を変化させる場合を説明する説明図（ポール形状）である。
【００３１】
いま筐体は、第１の筐体１００１と第２の筐体１００２の上下２つに分割されており必要に応じて、ヒンジ１００３を軸に、上下の筐体を折りたたんだり開いたりせた形状で使用する、いわゆる折り畳み型端末である。ただし筐体の変形形状は、いかなる形状でも、またその変化パターン幾通り存在しても、本発明が実施可能である。例えば、上下の筐体をスライドさせた形状で使用するいわゆるスライド型端末、複数の筐体が折り畳みとなる形状、複数の筐体が２つの回転軸で回転する折り畳み形状、複数の筐体がスライドして変形する形状、円の回転時の円上定点軌跡に基づく回転を伴う変形をする形状、複数の筐体が分離したり再結合したりする形状、以上の変形を複数組み合わせたものなどが使用可能である。
【００３２】
また、それらは複数の筐体の相互的な関係が変化するものであっても良いし、１つの筐体の形状が変化することで同様の形状変化を伴うものであれば、何れも使用可能である。
【００３３】
第１の筐体１００１にはノイズ源３００が存在し、ノイズ源３００は、筐体が閉じられているときには第1ノイズ源モードが所望の受信系に影響を与える主たるノイズモードとなり、筐体が開けられたときには第２ノイズ源モードが所望の受信系に影響を与える主たるノイズモードとなる。
【００３４】
第２の筐体１００２には、その動きに連動して移動する第１の支点２がとりつけられている。
【００３５】
ノイズピックアップセンサ１は、第１の筐体１００１内で発生しかつ所望の通信の受信アンテナの感度劣化に影響するノイズ（以降、廻り込みノイズと呼ぶ）をピックアップする近傍センサである。ノイズピックアップセンサ１は、柔軟に変形可能なエレメントで構成され、エレメントの一方が第2の支点１０、他方が第3の支点１１である。いま、第3の支点１１はノイズ源デバイスに対して固定されており、第2の支点１０は可動に構成されており、ノイズピックアップセンサ１のアンテナエレメントを自由な形状に変形可能な構成である。
【００３６】
柔軟に変形可能なエレメントの構成としては、導体が使用可能である。変形可能とするため、導体としては柔軟に変形可能な線材、導電シート、銅箔、その他導電性の柔軟な素材が用いられる。同軸形状により接地する形態を採っても良い。収縮時の形状としてはロール形状が使用可能である。伸縮可能なエレメント全体がアンテナを構成する導体であってもよいし、その一部だけがアンテナを構成する導体であってもよいが、ノイズピックアップセンサ１の特性の観点から、他の要素と接続される第２の支点１０と第３の支点１１部分は絶縁体となっていることがより望ましい。
【００３７】
第２の支点１０と第3の支点１１の位置がほぼ一致している場合のノイズピックアップセンサ１の形状が図１（ｂ）であり、柔軟に変形可能なエレメントは円弧に丸められ、ノイズピックアップセンサ１全体は、第１の形状１ａ、つまりループ状（円弧状）の形状を成す。このため、ループアンテナの形状を成す。
【００３８】
また第２の支点１０と第3の支点１１の位置が離れている場合のノイズピックアップセンサ１の形状が図１（ｃ）であり、柔軟に変形可能なエレメントは線状に広げられ、ノイズピックアップセンサ１全体は、第２の形状１ｂ、つまりポール状（線状）の形状を成す。このため、ループアンテナの形状を成す。このため、給電点がエレメントの端部である場合にはモノポールアンテナ、給電点がエレメントの中央付近にある場合はダイポールアンテナの形状を成す。
【００３９】
第1の支点２は、機器筐体の形状の変化に応じて第１のコネクティングロッド３に伝え、ノイズピックアップセンサの形状を変化させる起点となる。第１の支点２は第２の筐体１００２に固定、または、第２の筐体１００２の動きに連動した動きとなるようある程度の自由度をもって支持されている。第１のコネクティングロッド３の構成にもよるが、支点２は筐体の開き角度が変わっても、第１の筐体１００１と第２の筐体１００２の相対的な動きを正しく第１のコネクティングロッド３に伝達できるよう、第２の筐体１００２との角度にはある程度の自由度をもって支持されていることが望ましい。但しその場合でも、第１の筐体１００１と第２の筐体１００２の相対的な動き量が生じた際は、第１のコネクティングロッド３がその動き量に応じて移動できるよう、移動距離に関する連動動作が不定にならないようにする必要がある。第１の支点２としては、例えば、筐体のダボやハトメ、かみ合わせ、軸受けや継ぎ手、ゲル等による自由継ぎ手、磁力や圧力、静電気等による吸着、などが用いられる。
【００４０】
但し、第１の筐体１００１と第２の筐体１００２の相対的な動き量の一部のみに第１のコネクティングロッド３の動作を対応付けるため、図１（ｄ）のように第１の支点をスライド受けにするなどして、ある稼動範囲までは第１の支点２の動き量伝達が伝わらなくする構成も必要に応じて可能である。その場合、往復スライダや揺動スライダの構成を採る事もできる。
【００４１】
第１のコネクティングロッド３は、第１の支点２の動きをノイズピックアップセンサ１の第２の支点に伝え、ノイズピックアップセンサの形状を変化させる。今、第3の支点１１はノイズ源デバイスに対して固定されており、第2の支点１０が第１のコネクティングロッド３に連動して可動するよう構成されている。つまり、第１のコネクティングロッド３の動きによって、ノイズピックアップセンサ１はその柔軟に変形可能なエレメントを閉じたり開いたりして、その形状をループアンテナ状か、モノポールアンテナ状またはダイポールアンテナ状に変化することができる。第１のコネクティングロッド３としては、主に棒状またはワイヤ状の機構部品により構成される。機構部品としては、金属または樹脂が用いられる。またワイヤとしては、鋼索に代表されるような鉄を材料にした縄状のもの、また、ファイバーや樹脂を利用したプラスチックワイヤ、などが利用可能であり、軽量化の観点からプラスチックワイヤが望ましい。
【００４２】
ノイズ源３００は、筐体が閉じられているときには第1ノイズ源モードが所望の受信系に影響を与える主たるノイズモードとなり、筐体が開けられたときには第２ノイズ源モードが所望の受信系に影響を与える主たるノイズモードとなる、ことを特徴とするノイズ源デバイスである。ノイズ源３００としては、各種ＩＣやＬＳＩ、ＣＰＵやＤＳＰ、メモリ、ドライバＩＣ、表示器などの入出力装置、線材やフレキシブルケーブルなどの内部配線材や接続ケーブルなどが挙げられるが、特にディジタル信号が高速に通信されるＬＳＩ、ＣＰＵやＤＳＰ、メモリ、大電流が流れるドライバＩＣ、それら制御信号が物理的に集中する内部配線材や接続ケーブルなどが、特に大きなノイズ源デバイスとなりやすい。ノイズ源については、以下にその具体例を挙げて動作を説明する。
【００４３】
以上のように構成した本発明の第１の実施形態に係るノイズキャンセルシステム（通信機器）について、次にその動作を図１（ａ）から図１（ｆ）を用いて、ノイズピックアップセンサの変形動作に着目して説明する。
【００４４】
第１の筐体１００１と第２の筐体１００２は、最初は閉じられた状態にあり、そのときの動作状態や機能から、ノイズ源３００が発する主たるノイズのモードは磁界型のノイズであったとする。例えば大きな電流が流れるメモリデバイス（特にスタックされた構造のデバイス）における頻繁なアクセス時や電源デバイスなどの高負荷時のノイズモードである。第２の筐体１００２は閉じられているため、第１の支点２は、第１のコネクティングロッド３を第２の筐体１００２側に引っ張るように作用するため、第１のコネクティングロッド３に連動して動くノイズピックアップセンサ１の第２の支点１０も第２の筐体１００２側に引っ張られる。前述のとおり、第3の支点１１はノイズ源デバイスに対して固定されているため、第１のコネクティングロッド３の動きによって、軸１ｄが第２の筐体１００２側に引っ張られたときは、ノイズピックアップセンサ１は柔軟に変形可能なエレメントを円弧状に閉じるため、その形状をループアンテナ状に変化することができる。ループアンテナ形状は磁界型のノイズセンシングに適しているため、ノイズピックアップセンサ１は筐体が閉じ状態での支配的なモードのノイズ（ノイズ源３００からの磁界モードのノイズ）を感度良くセンシングすることが出来る。
【００４５】
次に第１の筐体１００１と第２の筐体１００２が開けられた状態を考える。筐体の形状が変化したことで、起動する機能などが変わることで、主たるノイズ源のモードが変わったとする。いま主たるノイズ源のモードが電界型のノイズモードに変わったとする。第２の筐体１００２が第１の筐体１００１に対して開くため、第１の支点も連動して動き、第１のコネクティングロッド３を第１の筐体１００１側に押し出すように作用するため、第１のコネクティングロッド３に連動して動くノイズピックアップセンサ１の第2の支点１０も第１の筐体１００１側に押し出される。そのときのノイズピックアップセンサ１の形状は、エレメントが伸びた線状となるよう物理的な位置を調整してあるため、ノイズピックアップセンサ１は筐体が開き状態での支配的なノイズ（ノイズ源３０１からの電界モードのノイズ）を感度良くセンシングすることが出来る。
【００４６】
なお、上記説明では支点とクランクによる筐体動きの伝達により説明したが、筐体形状の変化を伝達できる構成であれば、前述のとおり、ワイヤや自在継ぎ手、ギアやチェーン、プーリーとベルト、なども利用可能である。
【００４７】
また、第１の支点２の動きを機械的に伝達するのではなく、第１の支点によりスイッチが押され、電気的にモータ等によりクランク３が移動するよう構成されてもよい。
【００４８】
なお、上記説明では同一のノイズ源デバイスでノイズモードが変化する場合により説明したが、ノイズのモードが筐体形状により変化する構成であれば、近接する複数のモードが異なるノイズ源デバイスにおいても同様に説明可能である。
【００４９】
また、ノイズピックアップセンサ１はその形状変化に伴って、センサの接地位置が変わるように構成しても良い。図１（ｅ）はループ形状の場合のみ、エレメントの接地外被１ｈにあるＧＮＤ接触点１ｉにエレメントの芯線（Ｈｏｔ）側１ｇの先端部を接触させることにより、ループ形状が不平衡のループアンテナを構成するよう、ＧＮＤ位置の変更を行っている。図１（ｆ）に示すように、エレメントがポール状（線状）になった場合には、エレメントの接地外被１ｈにあるＧＮＤ接触点１ｉにエレメントの芯線（Ｈｏｔ）側１ｇの先端部は切り離されるため、エレメントがポール状（線状）になった場合には、エレメントの芯線（Ｈｏｔ）側１ｇがむき出しになった部分が電界型センサとして動作する。
【００５０】
次にそのノイズキャンセル動作を、図９を用いて説明する。まずそのシステム構成を説明する。図９は本発明の第１の実施形態に係るノイズキャンセルシステム（通信機器）の構成例を示すブロック図である。図９において、既に説明済みの図面と附番が同じものは同一の構成・機能を示すので、詳細な説明を省略する。
【００５１】
図１（ａ）〜（ｆ）で説明済みの通り、筐体は第１の筐体１００１と第２の筐体１００２の上下２つに分割されており必要に応じて、ヒンジ１００３を軸に、上下の筐体を折りたたんだり開いたりせた形状で使用される。第１の支点２は、機器筐体の形状の変化に応じて第１のコネクティングロッド３に伝え、ノイズピックアップセンサ１の形状を変形させる構成となっている。
【００５２】
第１の所望受信波１０１は、機器端末において受信を希望する無線放送や無線通信の受信波である。第１の所望受信波１０１としては、テレビ放送、ラジオ放送、携帯端末向け次世代マルチメディア放送、短距離無線通信、非接触ICカード、ワイヤレスＬＡＮ、DSRC（Dedicated Short Range Communication）などの狭域通信、などの各チャネルが使用できる。テレビ放送としては、UHF帯を利用したいわゆるワンセグ（登録商標）やフルセグなどの地上デジタル放送、アナログ地上波放送、放送衛星(BS)を使ったＢＳデジタル放送やＣＳデジタル放送やＢＳアナログ放送、IP網を用いた放送などがある。ラジオ放送としては、アナログ変調のＡＭラジオ（中波、短波）やＦＭラジオ、デジタル変調の衛星デジタル音声放送（衛星デジタルラジオなど）、BSデジタル音声放送、CSデジタル音声放送 地上デジタル音声放送（地上デジタルラジオ）、IP網を用いた放送などがある。携帯端末向け次世代マルチメディア放送としては、ISDB-TmmやMediaFLOなどの方式がある。短距離無線通信としては、Bluetooth（登録商標）やIrDAやHomeRFやワイヤレスUSBなどがある。非接触ICカードとしては、ISO/IEC IS 18092として国際標準化されているものなどが使用できる。ワイヤレスＬＡＮとしてはIEEE 802.11諸規格に準拠した機器で構成されるものが使用可能である。ＩＰ網を用いたテレビ放送やラジオ放送としては、同時再送信やＶＯＤやストリーミング再生によるものがある。
【００５３】
受信アンテナ１０２は、所望受信波を受信するアンテナである。アンテナとしては、線状アンテナや平面アンテナ、立体アンテナ、進行波アンテナ、EHアンテナ、磁界アンテナ、誘電体アンテナなどが使用できる。線状アンテナとしては、ダイポールアンテナ、八木・宇田アンテナ、単線給電アンテナ、ループアンテナ、位相差給電アンテナ、接地アンテナ、非接地型垂直アンテナ、ビームアンテナ、水平偏波全方向性アンテナ、コーナーアンテナ、くし形アンテナなどが使用できる。平面アンテナとしては、マイクロストリップアンテナ、板状逆Fアンテナ(PIFA) などが使用できる。立体アンテナとしては、スロットアンテナ、パラボラアンテナ、ホーンアンテナ、ホーンリフレクタアンテナ、カセグレンアンテナなどが使用できる。進行波アンテナとしてはビバレージアンテナが使用できる。EHアンテナとしてはスター型やブリッジ型が使用できる。磁界アンテナとしては、バーアンテナや微小ループアンテナが使用できる。特に端末機器内部への収納を考えたとき、線状アンテナや平面アンテナが特に望ましい。また機器の筐体（基板）そのものをモノポールやダイポールのアンテナ素子として利用することも特に小型機器での実装上たいへん好ましい。
【００５４】
ノイズ源３００は、前述のとおり筐体が閉じられているときには第1ノイズ源モードが所望の受信系に影響を与える主たるノイズモード（磁界型のノイズモード）となり、筐体が開けられたときには第２ノイズ源モード（電界型のノイズモード）が所望の受信系に影響を与える主たるノイズモードとなるデバイスである。ノイズ源３００としては、例えば演算装置などがある。いまの場合、機器内のディジタル情報の演算処理を行うマイクロコントローラであったとする。ここで演算装置としては、電子回路、リレー回路などが用いられ、特に小型で構成が簡単に行える電子回路が好ましい。電子回路としては、マイクロプロセッサ（マイクロコントローラ）やディジタルシグナルプロセッサのようなディジタル情報の演算処理を行う演算部品、コンパレータなどのアナログ部品による比較器、またはそれらを包含する演算回路やコンピュータが用いられる。
【００５５】
低ノイズアンプ１０３は、受信アンテナ１０２で受信した第１の所望受信波１０１を増幅する低雑音増幅回路であり、所望受信波の方式や帯域に見合った雑音指数の小さい増幅器が選ばれる。 
【００５６】
なお、いま受信アンテナ１０２や低ノイズアンプ１０３を含む加算部１１５までのアナログフロントエンド回路には、以下のノイズが重畳することが考えられる。
（１）第１の筐体１００１と第２の筐体１００２が閉じられた状態のとき
例えば、放送波の録画のためメモリへの書き込みが頻繁に行われているなどのため、ノイズ源３００としてのマイクロコントローラからは磁界型のモードのノイズ源が主として輻射され、第１の所望受信波１０１のほかに、ノイズ源３００からの磁界型のモード（第１ノイズモード１０８）のノイズ（第１のノイズ源から受信アンテナに廻り込むノイズ２０２）が重畳する。
（２）第１の筐体１００１と第２の筐体１００２が開けられた状態のとき
例えば、表示デバイスへの表示制御などのため、ノイズ源３００としてのマイクロコントローラからは電界型のモードのノイズ源が主として輻射され、第１の所望受信波１０１のほかに、ノイズ源３００からの電界型のモード（第２ノイズモード１０６）のノイズ（第１のノイズ源から受信アンテナに廻り込むノイズ２００）が重畳する。
【００５７】
２５０はノイズが重畳した受信信号である。受信回路１０４は、第１の所望受信波１０１から所望のチャネルの帯域の信号だけを選択し適切なレベルまで増幅して復調する機能をもつ。  受信回路１０４は、基本的には、高周波増幅器、局部発信器や混合器からなる周波数変換器、中間周波増幅器や復調器、低周波増幅器などにより構成される。またダイレクト・コンバージョン方式のように中間周波数を用いず可聴域の周波数を直接得る方式は、高価でサイズが大きいIFフィルタを省けることから特に小型機器において特に望ましい。
【００５８】
また近年、受信信号を直接または周波数変換を行った後にＡ／Ｄ変換をして、デジタル処理によって所望の出力を得るＤＳＰ方式も実用化されており、そのようないわゆるソフトウェア受信機（SDR（Software Defined Radio））であっても良い。
【００５９】
また受信回路１０４は必要に応じて、ノイズが減算された受信信号２５２による受信のブロックエラーレート（BER）やCN比（Carrier to Noise ratio）を調整設定手段１２３に提供しても良い。
【００６０】
その場合、調整設定手段１２３は受信回路１０４からのBERやCN比が所定の範囲に収まるように、可変利得アンプ設定値１２５や可変移相器設定値１２６やアンプ切替設定１２７を、逐次、調整するようフィードバック制御の動作をしても良い。
【００６１】
表示器駆動回路１０５は、受信回路１０５から受け取った復調信号を、マイクロコントローラ３００で表示可能に処理をして、表示器１０７で表示させるための信号処理や駆動信号を生成するものであり、パネルコントローラやパネルドライバから成る。パネルドライバにはビットイメージの表示データを一時的に記憶する表示用RAMを設けても良い。
【００６２】
また図示していないが、特に高い電圧を必要とすることが多い表示器用のDC/DCコンバータは機器内でノイズ源になりやすい。DC/DCコンバータは、直流電流の電圧値を異なる電圧値に変換する回路であり機器内の各部で必要な電源を生成する。DC/DCコンバータとしては、主にスイッチングレギュレータが用いられ、その他ドロッパ方式レギュレータやチャージポンプ回路等が用いられてもよい。スイッチングレギュレータとしては、トランス型やコイルにてエネルギー変換を行うチョッパー型などが使用できる。
【００６３】
表示器１０７は、受信回路１０４からの復調信号を視覚上認識できるよう表示をする表示器である。表示器１０７としては、液晶、プラズマ、有機ＥＬ、ＦＥＤ(Field Emission Display) 、電子ペーパ、タッチパネルディスプレイ、ドットマトリクスの蛍光表示管、ＬＥＤパネルなどが使用でき、特に薄型のパネルモジュールが望ましい。特に小型端末機器向けとして、液晶や有機ＥＬ、電子ペーパ、タッチパネルディスプレイが望ましい。
【００６４】
ノイズピックアップセンサ１は、ノイズキャンセル回路１１０にあって、第1の筐体１０００内で発生しかつ受信アンテナ１０２の感度劣化に影響するノイズ（以降、廻り込みノイズと呼ぶ）をピックアップする近傍センサである。ノイズピックアップセンサ１としてはエレメントの形状を変化させることでその特性を変化できる各種アンテナが使用できるが、特に小型でノイズ源の近傍に設置できる観点から、モノポールアンテナや微小ループアンテナ、マイクロストリップアンテナ、パッチアンテナが望ましい。このノイズピックアップセンサ１は、前述したとおり、第１のコネクティングロッド３と連動するよう構成されているため、第１の筐体１００１と第２の筐体１００２とが、ヒンジ１００３により開閉動作をされることで、その形状が、１ａ（筐体閉じ時）と１ｂ（筐体開き時）とで変化する。
【００６５】
その構成とノイズ源のモードによる具体的な最適形状については既に説明済みであり、再度図９により説明すると、筐体形状に伴う機能（ノイズ源のノイズモード）の違いによって、ノイズピックアップセンサ１の最適形状は下記のようになる。
（１）第１の筐体１００１と第２の筐体１００２が閉じられた状態のとき
ノイズ源３００からは磁界型のモードのノイズが輻射されており、ノイズピックアップセンサ１の形状は磁界型のセンサが望ましい。磁界型のセンサとしては例えばループ型がある。
（２）第１の筐体１００１と第２の筐体１００２が開けられた状態のとき
ノイズ源３００からは電界型のモードのノイズが輻射されており、ノイズピックアップセンサ１の形状は電界型のセンサが望ましい。電界型のセンサとしては例えばモノポール型、ダイポール型、パッチ型などがある。
【００６６】
低ノイズアンプ１１２は、ノイズピックアップセンサ１でピックアップした廻り込みノイズを所定のレベルまで増幅する低雑音増幅回路であり、所望受信波の方式や帯域に見合った雑音指数の小さい増幅器が選ばれる。また必要によって、低ノイズアンプ１１２は、ＤＣ電圧やデジタル信号指示に基づくアンプ切替設定１２７によって、その利得や周波数特性などの電気的特性を制御可能に構成してもよい。
【００６７】
可変移相器１１３は、ノイズピックアップセンサ１でピックアップしたノイズの位相と、受信アンテナ１０２（および加算部１１５までのフロントエンド部）に廻り込んだノイズの位相のずれを、加算部１１５において、希望周波数にて合致させる。可変移相器１１３としては、アナログ可変移相器、デジタル可変移相器、モータ駆動可変移相器が用いられる。またアナログ型としては電子式と機械式が利用可能である。特に小型機器で使用する観点から、電子式が好ましく、電子式の可変移相器としては、印加電界により誘電率が変化する可変誘電率誘電体を用いるもの、可変キャパシタを用いるもの、バラクタダイオードを用いるもの、導波管を用いるもの、同軸回路を用いるもの、などが使用可能である。また入力信号から直交変換により一時的にＩＱ（Ｉｎ−ｐｈａｓｅ、Ｑｕａｄｒａｔｕｒｅ−ｐｈａｓｅ）信号を生成したうえでＩＱ平面上で所定の位相量だけ移相する方式が用いられても良い。可変移相器１３としては、所望の受信帯域内において、できるだけ広帯域に亘って任意周波数の信号の位相を、周波数に関係なく指定した位相量だけ変化させることができる広帯域特性をもつものがより望ましい。また、可変移相器１１３はＤＣ電圧やデジタル信号指示に基づく可変移送器設定値１２５によって、移相する位相量を調整可能に構成されている。
【００６８】
可変利得アンプ１１４は、ノイズピックアップセンサ１でピックアップしたノイズの振幅と、受信アンテナ１０２（および加算部１１５までのフロントエンド部）に廻り込んだノイズの振幅のずれを、加算部１１５において、希望周波数にて合致させる。可変利得アンプ１１４としては、所望の利得調整可能範囲において、できるだけ位相変化の周波数特性を持たず指定した利得量だけ変化させることができる特性をもつものがより望ましい。
【００６９】
加算部１１５は、ノイズが重畳した受信信号２５０からノイズキャンセル信号２５１を減算することで、ノイズが減算された受信信号２５２を生成する。加算部１１５は、アナログ的手段が用いられても良いし、デジタル的手段が用いられても良い。アナログ的手段としては、線路パターン上での粗結合が用いられ、粗結合の方法としては、たとえば容量を用いた結合や抵抗を用いた結合、リアクタンスを用いた結合などが用いられる。デジタル的手段では、それぞれデジタル変換されたノイズが重畳した受信信号２５０とノイズキャンセル信号２５１がデジタル減算器（またはデジタル加算器）に入力されることにより減算処理される。以上説明したノイズピックアップセンサ１から加算部１１５に至るまでの回路をノイズキャンセル回路１１０と呼ぶ。
【００７０】
ノイズ源３００の第１ノイズモード１０８にて受信アンテナに廻り込むノイズ２０２は、ノイズ源３００から輻射され受信アンテナ１０２で受信されるノイズである。２０２は受信アンテナ１０２から加算部１１５までのフロントエンド部で受信されるノイズを含めても良い。また、ノイズ源３００の第１ノイズモード１０８でノイズピックアップセンサ１に廻り込むノイズ２０３は、ノイズ源３００の第１ノイズモード１０８にて輻射され、１ａ（ループ）の形状であるノイズピックアップセンサ１でピックアップされるノイズである。
【００７１】
ノイズ源３００の第２ノイズモード１０６にて受信アンテナに廻り込むノイズ２００は、ノイズ源３００から輻射され受信アンテナ１０２で受信されるノイズである。２００は受信アンテナ１０２から加算部１１５までのフロントエンド部で受信されるノイズを含めても良い。また、ノイズ源３００の第２ノイズモード１０６でノイズピックアップセンサ１に廻り込むノイズ２０１は、ノイズ源３００の第２ノイズモード１０６にて輻射され、１ｂ（ポール状）の形状であるノイズピックアップセンサ１でピックアップされるノイズである。
【００７２】
ノイズキャンセル調整設定手段１２３は、機器の状態のパターンに基づいてノイズキャンセルの設定調整が必要あるか否かを判定するとともにその設定値を決定し、可変利得アンプ１１４の調整設定値である可変利得アンプ設定値１２５、可変移相器１１３の調整設定値である可変移相器設定値１２６、低ノイズアンプ１１２の設定値であるアンプ切替設定１２７の各調整設定信号を出す。調整設定手段１２３としては、演算装置が用いられる。演算装置としては、電子回路、リレー回路などが用いられ、特に小型で構成が簡単に行える電子回路が好ましい。電子回路としては、マイクロプロセッサやディジタルシグナルプロセッサのようなディジタル情報の演算処理を行う演算部品、コンパレータなどのアナログ部品による比較器、またはそれらを包含する演算回路やコンピュータが用いられる。
【００７３】
ここで機器の状態とは、筐体形状や動作機能や動作チャネルなどの機器自体の使用状態である。状態の判別には、各種スイッチやセンサのほか、ICやLSIやCPUなどのデバイスの出力信号などが用いられる。筐体形状を示すものとしては、たとえば、メカ式スイッチ、電気式センサ、光式センサなどが用いられる。メカ式スイッチとしては、外装表面に形成した突起が開閉検出スイッチのステム部分を押し込むことで筐体の動きを判別するものや、ヒンジ部分の回転によりスイッチの操作部分が回り可動接点が回転して固定端子とのオン/オフにより回転角度を検出していくもの、回転量・回転角度・回転位置を計測するロータリエンコーダを用いるもの、平行方向の移動を計測するリニアエンコーダ、などが使用できる。電気式センサとしては、ホール素子によるホールICと磁石の組み合わせで実現するもの、磁気抵抗効果を使った磁界検出による磁石接近センサで実現するもの、電磁誘導を用いるもの、などが用いられる。光式センサとしては、透過形光学系のリニアエンコーダを用いるもの、LEDと反射回折光干渉を用いるもの、LEDやレーザとPDを用いるもの、PDを用いるもの、などが用いられる。筐体形状を示す手段としては、耐久性や寿命や周辺機器への影響の観点から、特にホールICと磁石の組み合わせによる電気式センサが最も望ましい。また動作機能を示すものとしては、たとえば、押しボタンやタッチパネル、ジョグダイヤル、ジョイスティック、音声入力などによる動作機能のユーザインタフェースに基づく直接入力や、各種演算結果に伴うICやLSIやCPUなどのデバイスの出力信号などが使用できる。たとえば、人がメール入力操作を起動させるためメール起動のメニューキーを押下する、演算結果によってI/O制御ICの出力ポート電圧がHigh電圧になるような例である。また動作チャネルを示すものとしても同様で、たとえば、押しボタンやタッチパネル、ジョグダイヤル、ジョイスティック、音声入力などによる動作機能のユーザインタフェースに基づく直接入力や、各種演算結果に伴うICやLSIやCPUなどのデバイスの出力信号などが使用できる。たとえば、人が視聴するテレビのチャネルを変更するためテレビチャネルの該当するチャネル番号のキーを押下する、演算結果によってI/O制御ICの出力ポート電圧がHigh電圧になるような例である。
【００７４】
機器の状態は、筐体が採りうる全ての変形パターンが認識できるようにされる。ただし如何なる形態からの変化でも回り込みノイズの変化に影響がない形状の場合のみ、その変形パターンの認識を省略することも可能である。そして、筐体が変形可能なパターンのうち、現在どの変形パターンの状態にあるかにより必要な調整値設定が行われる。
【００７５】
機器の状態の検知は、例えば持ち運びや使用時の筐体の動きや振動、ボタン操作のチャタリング、誤操作など、意図しないタイミングで、微小または短時間のレベルで変動する可能性などにより誤動作しないよう予め設定された状況ごとの閾値を用いて、変化幅や変化量が閾値を超えた場合に状態変化ありと判断されることが望ましい。状態変化出力信号を微分し、その微分値の変化から機器の状態変化を検知するよう構成しても良い。予め筐体形状や動作機能や動作チャネルなどの機器状態のパターンに応じて、用意に識別可能なパターンフラグを準備しておき、そのパターンフラグを用いて、機器の状態を表現するよう構成されてもよい。
【００７６】
また、図示していないが、機器内部にはメモリもよく用いられる。メモリは記録情報を書き込み、または読み出しする働きをし、メモリとしては、読み出し専用記録媒体や書き換え可能な記録読み出し媒体を用いることができ、例えば半導体メモリ、ハードディスクドライブ、光磁気ディスクドライブ、磁気テープドライブなどが使用可能である。特に、高速に読み出しが可能で小型であることから半導体メモリが好ましい。また、メモリは、カード型やリムーバブルメディアのように着脱可能に構成されるよう構成しても良い。また、他の手段とあわせてICやLSIの内部に機能を取り込むことが望ましく、その場合は、レジスタや内部RAMなどにより構成されるのが望ましい。
【００７７】
次にそのノイズキャンセル動作を図９を用いて説明する。図９において、既に説明済みの図面と附番が同じものは同一の構成・機能を示すので、詳細な説明を省略する。
（１）第１の筐体１００１と第２の筐体１００２が閉じられた状態のとき
前述のとおり、第１の所望受信波１０１のほかに、ノイズ源３００の第１ノイズモード１０８としての磁界型のモードのノイズ（ノイズ源から受信アンテナに廻り込むノイズ２０２）が重畳する。ノイズピックアップセンサ１がノイズをセンシングするときの形状は図１（ｂ）の場合と同様である。つまり、第２の筐体１００２は閉じられているため、第１の支点２は、第１のコネクティングロッド３を第２の筐体１００２側に引っ張るように作用するため、第１のコネクティングロッド３に連動して動くノイズピックアップセンサ１の第２の支点１０も第２の筐体１００２側に引っ張られる。前述のとおり、第3の支点１１はノイズ源デバイスに対して固定されているため、第１のコネクティングロッド３の動きによって、軸１ｄが第２の筐体１００２側に引っ張られたときは、ノイズピックアップセンサ１は柔軟に変形可能なエレメントを円弧状に閉じるため、その形状をループアンテナ状に変化することができる。ループアンテナ形状は磁界型のノイズセンシングに適しているため、ノイズピックアップセンサ１は筐体が閉じ状態での支配的なモードのノイズ（ノイズ源３００からの磁界モードのノイズ）を感度良くセンシングすることが出来る。
【００７８】
受信アンテナ１０２への廻り込みノイズは、ノイズ源３００から発せられる第１ノイズモード１０８からのノイズ２０２が支配的である。そのノイズ２０２は、受信アンテナ１０２で受信され、低ノイズアンプ１０３で増幅され、ノイズが重畳した受信信号２５０として加算部１１５に送られる。
【００７９】
一方、ノイズピックアップセンサ１がピックアップするノイズは、ピックアップセンサ１の形状がループ型であるため、ノイズ源３００の第１ノイズモード１０８におけるノイズ（磁界型）のノイズ２０３がその殆どとなり、加算部１１５において、前記のノイズが重畳した受信信号２５０に廻り込んだノイズの振幅と位相のずれを希望周波数にて合致させ、廻り込みノイズ成分だけをキャンセルするようにノイズキャンセル調整設定手段１２３が動作し、低ノイズアンプ１２、可変位相器１３、可変利得アンプ１４はそれぞれ最適値に調整される。なお、ノイズピックアップセンサ１の形状がループ型（磁界型）のままでは、ノイズ源のモードが第２ノイズモード１０６（電界型のノイズ）となった場合にノイズピックアップセンサ１で取得できるノイズ２０１のレベルは低くなるが、次の説明のとおり、ノイズ源のモードが第２ノイズモード１０６（電界型のノイズ）となった場合にはノイズピックアップセンサ１の形状はポール状（線状）に変化できる。
（２）第１の筐体１００１と第２の筐体１００２が開けられた状態のとき
前述のとおり、第１の所望受信波１０１のほかに、ノイズ源３００から発せられる第２ノイズモード１０６のノイズ（ノイズ源から受信アンテナに廻り込むノイズ２００）が重畳する。
【００８０】
ノイズピックアップセンサ１がメモリ１０８からのノイズをセンシングするまでの動作は図１の場合と同様である。つまり、第２の筐体１００２は開けられているため、第１の支点２は、第１のコネクティングロッド３を第１の筐体１００１側に押し出すように作用するため、第１のコネクティングロッド３に連動して動くノイズピックアップセンサ１も第１の筐体１００１側に押し出される。そのときのノイズピックアップセンサ１の形状は、エレメントが伸びた線状となるよう物理的な位置を調整してあるため、ノイズピックアップセンサ１は筐体が開き状態での支配的なノイズ（ノイズ源３０１からの電界モードのノイズ）を感度良くセンシングすることが出来る。
【００８１】
受信アンテナ１０２への廻り込みノイズは、ノイズ源３００から発せられる第２ノイズモード１０６によるノイズ２００（電界型のノイズ）が支配的である。そのノイズ２００は、受信アンテナ１０２で受信され、低ノイズアンプ１０３で増幅され、ノイズが重畳した受信信号２５０として加算部１１５に送られる。
【００８２】
一方、ノイズピックアップセンサ１がピックアップするノイズは、ピックアップセンサ１の形状がポール型であるため、ノイズ源３００から発せられる第２ノイズモード１０６による２０１（電界型のノイズ）がその殆どとなり、加算部１１５において、前記のノイズが重畳した受信信号２５０に廻り込んだノイズの振幅と位相のずれを希望周波数にて合致させ、廻り込みノイズ成分だけをキャンセルするようにノイズキャンセル調整設定手段１２３が動作し、低ノイズアンプ１２、可変位相器１３、可変利得アンプ１４はそれぞれ最適値に調整される。
【００８３】
以上説明したように、本発明の第１の実施形態に係るノイズキャンセルシステムでは、機器筐体の形状変化によりノイズ源のモードが変わっても、第２の筐体１００２と連動して動く第１の支点２の動きが第１のコネクティングロッド３に伝わり、ノイズピックアップセンサ１の形状を変化させることにより、ノイズピックアップセンサ１の形状を線状（モノポールまたはダイポールアンテナ）かループ状（ループアンテナ）かを最適に変化できるため、ピックアップセンサの性質や特性を変化させることができ、ノイズ源のモードに応じた特性のピックアップセンサを複数配置せずとも、対象とするノイズ源からのノイズだけを高い利得でセンシングできる。またそのため、より精密なノイズキャンセル動作ができることとなり、所望の受信感度をより向上させることが出来る。
【００８４】
（第２の実施形態）
本実施形態では、変形可能な構成としてのノイズピックアップセンサ１のアンテナエレメントの変形パターンが異なる場合について本発明の実施形態を説明する。図２（ａ）から図２（ｃ）を用いて、ノイズピックアップセンサの形状変化を説明する。
【００８５】
図２（ａ）は本発明の第２の実施形態に係るノイズキャンセルシステム（通信機器）のノイズピックアップセンサの動作例を示す構成図である。また図２（ｂ）は本発明の第２の実施形態に係るノイズキャンセルシステム（通信機器）のノイズピックアップセンサの動作例を示す構成図（ポール形状）である。また、図２（ｃ）は本発明の第２の実施形態に係るノイズキャンセルシステム（通信機器）のノイズピックアップセンサの動作例を示す構成図（パッチ形状）である。
【００８６】
図２（ａ）〜（ｃ）において、既に説明済みの図面と附番が同じものは同一の構成・機能・動作を示すので、詳細な説明は省略する。いま第１の実施形態と異なるのはアンテナエレメントの変形パターンのみであるので、当該箇所のみの説明とし、その他の構成や作用・動作は第１の実施形態と同様であるので詳細な説明は省略する。
【００８７】
本発明の第２の実施形態に係るノイズピックアップセンサ１は、伸縮可能な面１ｅとその両端の２つの軸１ｃと１ｄのエレメントで構成され、いま２つの軸１ｃと１ｄは片端１ｆがヒンジで可動可能に相互に接続されている。いまの場合、第2の支点１０は軸１ｃで構成され、伸縮可能な面１ｅと連接され可動である。また第3の支点１１は軸１ｄで構成され、ノイズ源デバイスに対して固定されている。したがって、第2の支点１０としての軸１ｃは、面１ｅで構成されたノイズピックアップセンサ１のアンテナエレメントを扇状に開閉可能な構成である。
【００８８】
伸縮可能な面１ｅの構成としては、折り畳み形状またはロール形状が使用可能である。折り畳み形状としては、扇のように折り畳まれていることが最も望ましい。またミウラ折りも構成可能である。伸縮可能な面１ｅとその両端の２つの軸１ｃと１ｄはそれぞれがアンテナを構成する導体であってもよいし、伸縮可能な面１ｅまたはその一部だけがアンテナを構成する導体であってもよいが、ノイズピックアップセンサ１の特性の観点から、２つの軸１ｃと１ｄは絶縁体であることがより望ましい。
【００８９】
第２の支点としての軸ｃと第3の支点としての軸ｄの位置がほぼ一致している場合が図１（ｂ）であり、伸縮可能な面１ｅは棒状に折り畳まれ、２つの軸１ｃと１ｄは重なっているために、ノイズピックアップセンサ１全体は、第１の形状１ａ、つまりポール状（棒状）の形状を成す。このため、給電点がヒンジ部の１ｆである場合にはモノポールアンテナ、給電点が２つの軸１ｃと１ｄの何れかの中央付近にある場合はダイポールアンテナの形状を成す。
【００９０】
また第２の支点としての軸ｃと第3の支点としての軸ｄの位置が離れている場合、つまりヒンジの無いもう片端の位置が離れている場合が図１（ｃ）であり、２つの軸１ｃと１ｄの一端が大きく開いていることから、伸縮可能な面１ｅは面状に広げられ、ノイズピックアップセンサ１全体は、パッチ状（面状）の形状を成す。このため、給電点がヒンジ部の１ｆである場合でも給電点が２つの軸１ｃか１ｄの何れかの中央付近にある場合でも、ノイズピックアップセンサ１全体は、第２の形状１ｂ、つまりパッチアンテナの形状を成す。
【００９１】
第１の筐体１００１と第２の筐体１００２は最初は閉じられた状態にあり、そのときの動作状態や機能から、ノイズ源３００が発する主たるノイズのモードの取得にはポール型（棒状）のモノポールアンテナ状またはダイポールアンテナ状が好ましく、第１の筐体１００１と第２の筐体１００２が開けられた状態になったときは、ノイズ源３００が発する主たるノイズのモードの取得にはパッチ型（面状）のパッチアンテナ状が好ましい状態であり、ノイズのモードに応じて、最適な形状にノイズピックアップセンサ１の形状が変化する。
【００９２】
以上説明したように、本発明の第２の実施形態に係るノイズキャンセルシステムでは、機器筐体の形状変化によりノイズ源のモードが変わっても、ノイズピックアップセンサ１の形状を線状（モノポールまたはダイポールアンテナ）か面状（パッチアンテナ）に最適に変化できるため、形状に応じた特性に変化させることができ、ノイズ源のモードに応じた特性のピックアップセンサを複数配置せずとも、対象とするノイズ源からのノイズだけを高い利得でセンシングできる。またそのため、より精密なノイズキャンセル動作ができることとなり、所望の受信感度をより向上させることが出来る。
【００９３】
（第３の実施形態）
本実施形態では、変形可能な構成としてのノイズピックアップセンサ１のアンテナエレメントの変形パターンが、同じノイズモードであるが、そのエレメントの長さが変化する場合について説明する。図３（ａ）から図３（ｃ）を用いて、ノイズピックアップセンサの形状変化を説明する。図３（ａ）は本発明の第３の実施形態に係るノイズキャンセルシステム（通信機器）のノイズピックアップセンサの動作例を示す構成図、図３（ｂ）は本発明の第３の実施形態に係るノイズキャンセルシステム（通信機器）のノイズピックアップセンサの動作例を示す構成図（短いロッド形状）、図３（ｃ）は本発明の第３の実施形態に係るノイズキャンセルシステム（通信機器）のノイズピックアップセンサの動作例を示す構成図（長いロッド形状）である。図３（ａ）〜（ｃ）において、既に説明済みの図面と附番が同じものは同一の構成・機能・動作を示すので、詳細な説明は省略する。いまこれまで説明した実施形態と異なるのはアンテナエレメントの変形パターンのみであるので、当該箇所のみの説明とし、その他の構成や作用・動作は既に説明済みの実施形態と同様であるので詳細な説明は省略する。
【００９４】
本発明の第３の実施形態に係るノイズピックアップセンサ１は、２つ以上のエレメントにより伸縮可能なロッドアンテナで構成されている。その２つのエレメントのうち、ロッドの外側導体は第３の支点１１でノイズ源デバイスに対して固定されており、ロッドの内側導体は第２の支点１０で第１のコネクティングロッド３に連接されているため可動である。したがって、第2の支点１０は、２つのロッドエレメントで構成されたノイズピックアップセンサ１のアンテナエレメントを棒状に伸縮可能な構成である。
【００９５】
伸縮可能なエレメントの構成としては、入れ子形状での引き出し形状や折り畳み形状またはロール形状が使用可能である。いまはロッドアンテナとして、入れ子形状での引き出し形状が最も望ましい。伸縮可能なエレメントは素子の全部分がアンテナを構成する導体であってもよいし、その一部だけがアンテナを構成する導体であってもよいが、伸縮時に複数の導体の電気的接続が安定して確保され、アンテナ（センサ）としての電気的な素子長が変化可能に構成されていることが必要である。またノイズピックアップセンサ１の特性の観点から、２つの支点（第２の支点１０と第３の支点１１）の接続部分は絶縁体であることがより望ましい。
【００９６】
第２の支点１０と第3の支点１１の位置がほぼ一致している場合が図３（ｂ）であり、伸縮可能なロッドアンテナのエレメントは短く縮められているために、ノイズピックアップセンサ１全体は、第１の形状１ａ、つまり短いロッドアンテナの形状を成す。
【００９７】
第２の支点１０と第3の支点１１の位置が離れている場合が図３（ｃ）であり、伸縮可能なロッドアンテナのエレメントは長く伸ばされているために、ノイズピックアップセンサ１全体は、第１の形状１ｂ、つまり長いロッドアンテナの形状を成す。
【００９８】
ピックアップセンサ１はノイズを取得する１種のアンテナであるため、同一形状にてその有効素子長が変化すれば、共振周波数が変わるため、センシングできる周波数を変えることができる。第１の筐体１００１と第２の筐体１００２は最初は閉じられた状態にあり、そのときの動作状態や機能から、ノイズ源３００が発する主たるノイズのモード（周波数）の取得には短いロッドアンテナが好ましく、第１の筐体１００１と第２の筐体１００２が開けられた状態になったときは、ノイズ源３００が発する主たるノイズのモード（周波数）の取得には長いロッドアンテナが好ましい状態であり、それらノイズのモード（周波数）に応じて、最適な形状（長さ）にノイズピックアップセンサ１の形状（長さ）が変化する。
【００９９】
以上説明したように、本発明の第３の実施形態に係るノイズキャンセルシステムでは、筐体形状の変化によりノイズ源の周波数や偏波のモードが変わっても、モノポールアンテナやダイポールアンテナで構成されたノイズピックアップセンサの形状を最適に変化できるため、形状に応じた特性に変化させることができ、ノイズ源のモードに応じてピックアップセンサを配置せずとも、対象とするノイズ源からのノイズだけを高い利得でセンシングできる。またそのため、より精密なノイズキャンセル動作ができることとなり、所望の受信感度をより向上させることが出来る。またノイズ源が不変の場合に、筐体形状の変化により主アンテナの電流分布が変わることでノイズの廻り込み状態が変化する状況においても、ノイズピックアップセンサの形状を最適に変化できる。
【０１００】
（第４の実施形態）
本実施形態では、変形可能な構成としてのノイズピックアップセンサ１のアンテナエレメントの変形パターンが、同じノイズモードであるが、そのエレメントの面積が変化する場合について説明する。図４（ａ）から図４（ｂ）を用いて、ノイズピックアップセンサの形状変化を説明する。図４（ａ）は本発明の第４の実施形態に係るノイズキャンセルシステム（通信機器）のノイズピックアップセンサの動作例を示す構成図（面積小のパッチ形状）であり、図４（ｂ）は本発明の第４の実施形態に係るノイズキャンセルシステム（通信機器）のノイズピックアップセンサの動作例を示す構成図（面積大のパッチ形状）である。図４（ａ）〜（ｂ）において、既に説明済みの図面と附番が同じものは同一の構成・機能・動作を示すので、詳細な説明は省略する。いまこれまで説明した実施形態と異なるのはアンテナエレメントの変形パターンのみであるので、当該箇所のみの説明とし、その他の構成や作用・動作は既に説明済みの実施形態と同様であるので詳細な説明は省略する。
【０１０１】
本実施形態では、筐体の形状がスライド型端末である場合の実施例を説明する。いま筐体は、第１の筐体１００１と第２の筐体１００２の上下２つに分割されており必要に応じて上下の筐体をスライドさせた形状で使用する、いわゆるスライド型端末である。図４（ａ）及び（ｂ）において、既に説明済みの図面と附番が同じものは同一の構成・機能・動作を示すので、詳細な説明は省略する。
【０１０２】
スライド型端末では、第１の筐体１００１と第２の筐体１００２がずれることにより開閉動作（機能変化）が行われるため、ノイズピックアップセンサ１と主たるノイズ源が異なる筐体に存在する場合、その筐体のズレ量そのものをセンサに伝えることで、第１の支点２や第２の支点１０や第1のコネクティングロッド３による移動変換を必ずしも行わなくとも、同様の作用が可能となる場合がある。
【０１０３】
本発明の第４の実施形態に係るノイズピックアップセンサ１は、１つのエレメントにより伸縮可能なパッチアンテナで構成されている。図４（ａ）及び（ｂ）において、第１の支点２や第1のコネクティングロッド３や第２の支点１０は同一点であり、第2の筐体１００２の裏面（第1の筐体１００１との接触面側）にあるノイズピックアップセンサ１上にあり伸縮可能なパッチアンテナの一端と連動している。つまり、動きを伝える作用としては存在するが、物理的には第１の支点２や第1のコネクティングロッド３は存在せず、第2の筐体１００２の裏面（第1の筐体１００１との接触面側）にノイズピックアップセンサ１の一端（第２の支点１０）が貼り付けられた状態であり、第2の筐体１００２とともに支点が移動するため、第１の筐体１００１に対して可動である。そして伸縮可能なパッチアンテナの他端（第３の支点１１）はノイズ源デバイスに対して固定されているため、筐体のスライド動作に伴って、伸縮可能なパッチアンテナで構成されたノイズピックアップセンサ１のアンテナエレメントを面状に伸縮可能な構成である。
【０１０４】
伸縮可能な方法としては、折り畳みやロール、または素子としてのシートそのものが伸縮可能な構成も可能であるが、蛇腹のように折り畳まれていることが最も望ましい。また平易に開閉可能なことからミウラ折りも構成可能である。伸縮可能なエレメントは素子の全部分がアンテナを構成する導体であってもよいし、その一部だけがアンテナを構成する導体であってもよいが、伸縮時に複数の導体の電気的接続が安定して確保され、アンテナ（センサ）としての電気的な面積が変化可能に構成されていることが必要である。またノイズピックアップセンサ１の特性の観点から、２つの支点（第２の支点１０と第３の支点１１）の接続部分は絶縁体であることがより望ましい。
【０１０５】
第２の支点１０と第3の支点１１の位置がほぼ一致している場合が図４（ａ）であり、伸縮可能なパッチアンテナのエレメントは短く縮められているために、ノイズピックアップセンサ１全体は、第１の形状１ａ、つまり面積小のパッチ形状を成す。
【０１０６】
第２の支点１０と第3の支点１１の位置が離れている場合が図４（ｂ）であり、伸縮可能なパッチアンテナのエレメントは長く伸ばされているために、ノイズピックアップセンサ１全体は、第２の形状１ｂ、つまり面積大のパッチ形状を成す。
【０１０７】
ピックアップセンサ１はノイズを取得する１種のアンテナであるため、同一形状にてその有効素子長が変化すれば、共振周波数が変わるため、センシングできる周波数を変えることができる。またその面積が変わることでセンシングするデバイスを変化させることも可能である。第１の筐体１００１と第２の筐体１００２は最初は閉じられた状態にあり、そのときの動作状態や機能から、ノイズ源３００が発する主たるノイズのモード（周波数）の取得には面積小のパッチ形状が好ましく、第１の筐体１００１と第２の筐体１００２が開けられた状態になったときは、ノイズ源３００が発する主たるノイズのモード（周波数）の取得には面積大のパッチ形状が好ましい状態であり、それらノイズのモード（周波数）に応じて、最適な形状（面積）にノイズピックアップセンサ１の形状（面積）が変化する。
【０１０８】
以降の動作は既に説明済みであるため、省略する。
【０１０９】
このように、第１の支点２や第1のコネクティングロッド３を点で構成する（物理的に省略する）ことも可能である。もちろん、スライド動作に伴うスライド量（筐体のズレ量）と主たるノイズ源の距離が異なる場合、主たるノイズ源同士がスライド動作に伴うスライド運動上にない場合、なども想定されるため、実際には（第１の実施形態）で説明した第１の支点２やコネクティングロッド３による移動変換を併用したノイズピックアップセンサ１の形状変化のための移動量合わせが行われることが望ましい。
【０１１０】
以上説明したように、本発明の第４の実施形態に係るノイズキャンセルシステムでは、筐体形状の変化によりノイズ源の周波数や偏波のモードが変わっても、パッチアンテナ（マイクロストリップアンテナ）で構成されたノイズピックアップセンサの形状を最適に変化できるため、形状に応じた特性に変化させることができ、ノイズ源のモードに応じてピックアップセンサを配置せずとも、対象とするノイズ源からのノイズだけを高い利得でセンシングできる。またそのため、より精密なノイズキャンセル動作ができることとなり、所望の受信感度をより向上させることが出来る。またノイズ源が不変の場合に、筐体形状の変化により主アンテナの電流分布が変わることでノイズの廻り込み状態が変化する状況においても、ノイズピックアップセンサの形状を最適に変化できる。
【０１１１】
（第５の実施形態）
本実施形態では、ノイズピックアップセンサ１を筐体の厚み方向に変形させる場合の実施例を説明する。
【０１１２】
図５（ａ）は本発明の第５の実施形態に係るノイズキャンセルシステム（通信機器）のノイズピックアップセンサの動作例を示す構成図である。また図５（ｂ）〜（ｄ）は図５（ａ）でのノイズピックアップセンサ１の動きが判り易いように一部機能を抜粋した構成図であり、図５（ｂ）がモノポール形状、図５（ｃ）がダイポール形状に変形した例を示す。また図５（ｄ）は、第4の支点４と第2のコネクティングロッド５がテコを構成する説明図である。図５（ａ）〜（ｄ）において、既に説明済みの図面と附番が同じものは同一の構成・機能・動作を示すので、詳細な説明は省略する。
【０１１３】
第４の支点４は、機器筐体の形状の変化に応じて第１のコネクティングロッド３に伝えられた運動方向および／もしくは運動量を変えることで、ノイズピックアップセンサの形状を変化させる。第２の支点４は第１の筐体１００１または第２の筐体１００２に固定、または、それら筐体に連動した動きとなるようある程度の自由度をもって支持されている。第４の支点４は、テコの作用点により構成され、第１のコネクティングロッド３の運動方向および／もしくは運動量を変えるよう構成されても良い。また摺動子のように、筐体に切られた溝を一定の範囲内で支点を移動させることにより、運動方向および／もしくは運動量を変えるよう構成されても良い。
【０１１４】
第４の支点４としては、例えば、筐体のダボやハトメ、かみ合わせ、軸受けや継ぎ手、ゲル等による自由継ぎ手、磁力や圧力、静電気等による吸着、などが用いられる。往復スライダや揺動スライダの構成を採る事もできる。また薄い板金や樹脂等により柔軟に折れ曲がり角度が変わることによって、コネクティングロッドの運動方向および／もしくは運動量を変えるよう第４の支点４を構成しても良い。
【０１１５】
またノイズピックアップセンサ１のエレメントは２つに折られていて、折り曲げられた山折りのエレメントの中央部に給電点１ｇが設けられ、２つの端部がそれぞれ第２の支点１０と第３の支点１１になっている。エレメントが完全に折りたたまれた状態では、第２の支点１０と第３の支点１１が重なるため、エレメントの長さは半分になり、給電点は端部になるように動作する。つまりモノポールアンテナの動作となる。一方、エレメントが完全に開かれた状態では、第２の支点１０と第３の支点１１が離れるため、給電点を中心として、第２の支点１０と第３の支点１１はＹ字またはＴ字型に分岐し、ダイポールアンテナの動作となる。
【０１１６】
第２のコネクティングロッド５は、第４の支点４による動きや力をノイズピックアップセンサ１の第２の支点１０に伝える。第２のコネクティングロッド５としては、主に棒状またはワイヤ状の機構部品により構成される。機構部品としては、金属または樹脂が用いられる。またワイヤとしては、鋼索に代表されるような鉄を材料にした縄状のもの、また、ファイバーや樹脂を利用したプラスチックワイヤ、などが利用可能であり、軽量化の観点からプラスチックワイヤが望ましい。ノイズピックアップセンサ１の第２のコネクティングロッド５が接続されていない端は、第３の支点１１として、ノイズ源デバイスに対して固定されている。
【０１１７】
次にその動作を図５（ｂ）〜（ｄ）を用いて説明する。図５（ｄ）に示すように、第2のコネクティングロッド５は第４の支点４部の支柱４ａにおいてその長さが、ロッド短部４ｂとロッド長部４ｃに分割されており、ロッド短部４ｂよりロッド長部４ｃの方が長くなっている。つまり、第２のコネクティングロッド５は支柱４ａを挟んで「テコ」の様態を構成しており、第２のコネクティングロッド５上にテコの支点（支柱４ａ）があり、第１のコネクティングロッド３が第２のコネクティングロッド５に接触する点が力点４ｄ、第２のコネクティングロッド５の先端のノイズピックアップセンサ１の第２の支点１０部が作用点４ｅ、の構成となっている。いま第４の支点４において、支柱４ａは動かないよう固定しているため、力点４ｄを動かすと作用点４ｅが動く仕組みである。また今の場合、往復運動を上下運動に変換するよう構成している。
（１）第１の筐体１００１と第２の筐体１００２が閉じられた状態が、図５（ｂ）の状態である。第２の筐体１００２は第１のコネクティングロッド３を引っ張るように作用するため、第１のコネクティングロッド３は、第２のコネクティングロッド５の力点側４ｄのロッド短部４ｂを引く方向に動作する。テコの原理によりその動きは、支柱４ａを介して、上下運動に変換され、第２のコネクティングロッド５の作用点側のノイズピックアップセンサ１の第２の支点１０を、下方向、つまり第３の支点１１と一致するよう動かす。つまりノイズピックアップセンサは第１の形状１ａ（モノポール形状）となる。いま筐体閉じ状態では、ノイズピックアップセンサ１の最適形状がモノポールであるとすれば、本動作によりノイズピックアップセンサ１の形状は最適化される。
（２）第１の筐体１００１と第２の筐体１００２のスライドが開けられた状態が、図５（ｂ）の状態である。
【０１１８】
第１のコネクティングロッド３は第１の筐体１００１側に押すように作用するため、第１のコネクティングロッド３は、第２の支点４の第２のコネクティングロッド５のロッド短部４ｂの力点４ｄ側を押す方向に動作する。テコの原理によりその動きは、支柱４ａを介して、上下運動に変換され、第２のコネクティングロッド５の作用点側のノイズピックアップセンサ１の第２の支点１０を、上方向、つまり第３の支点１１と離れるよう動かす。つまりノイズピックアップセンサは第２の形状１ｂ（ダイポール形状）となる。いま筐体開き状態では、ノイズピックアップセンサ１の最適形状がダイポールであるとすれば、本動作によりノイズピックアップセンサ１の形状は最適化される。
以降の動作は既に説明済みであるため、省略する。
【０１１９】
以上説明したように、本発明の第５の実施形態に係るノイズキャンセルシステムでは、筐体形状が変化したとき、第２の筐体１００２と連動して動く第１の支点２の動きが第１のコネクティングロッド３に伝わり、第４の支点がテコや摺動子の原理によりその運動方向および／もしくは運動量を変えて第２のコネクティングロッドに伝達し、第２のコネクティングロッドの作用点に位置するノイズピックアップセンサ１の形状を変化させることにより、筐体の厚み方向などより多様なピックアップセンサの形状変化に対応が可能となり、そのためにより最適な形状にノイズピックアップセンサを変形可能なため、形状に応じた特性に変化させることができ、対象ノイズをより高い利得でセンシングでき、より精密なノイズキャンセル動作ができることとなる。
【０１２０】
（第６の実施形態）
本実施形態では、ノイズピックアップセンサ１を、回転動作を伴って変形させる場合の実施例を説明する。
【０１２１】
図６（ａ）は本発明の第６の実施形態に係るノイズキャンセルシステム（通信機器）のノイズピックアップセンサの動作例を示す構成図である。また図６（ｂ）は図６（ａ）でのノイズピックアップセンサ１の動きが判り易いように一部機能を抜粋した構成図（コイル形状）である。
【０１２２】
図６（ｃ）は図６（ａ）でのノイズピックアップセンサ１の動きが判り易いように一部機能を抜粋した構成図（ポール形状）である。いま筐体はスライド型端末であるとし、図６（ａ）ではスライド端末の筐体形状が閉じから開きに遷移した形態を示している。ただし筐体の変形形状は、いかなる形状でも、またその変化パターン幾通り存在しても、本発明は実施可能である。図６（ａ）〜（ｃ）において、既に説明済みの図面と附番が同じものは同一の構成・機能・動作を示すので、詳細な説明は省略する。
【０１２３】
第４の支点４は、いま回転クランク８の回転軸として機能している。第１の筐体１００１と第2の筐体１００２にはそれぞれ摺動溝７があり、筐体の開閉動作に伴って、その溝の中を摺動子６としての第１の支点２が移動可能な構成となっている。
【０１２４】
ノイズピックアップセンサ１は、第１の実施形態の場合と同様に、柔軟に変形可能なエレメントで構成され、エレメントの一方が第2の支点１０、他方が第3の支点１１である。いま、第3の支点１１はノイズ源デバイスに対して固定されており、第2の支点１０は可動に構成されており、ノイズピックアップセンサ１のアンテナエレメントを自由な形状に変形可能な構成である。さらにこの第2の支点１０は回転クランク８に連動可能に取り付けられているため、筐体の開閉動作に伴って、ノイズピックアップセンサ１の形状が回転動作を伴って変形する。図６の構成の場合、回転クランク８は、部材は１つのピースであるが、第１のコネクティングロッドと第２のコネクティングロッドの双方の機能をあわせもつこととなる。また、テコの原理でいうと、力点と支点と作用点の全てが回転クランク８上に存在することとなる。
【０１２５】
摺動子６としては、例えば、筐体のダボやハトメ、軸、かみ合わせ、ボールベアリングなどのベアリング、軸受けや継ぎ手、ゲル等による自由継ぎ手、磁力や圧力、静電気等による吸着、などが用いられる。円滑な動作のため、潤滑油塗布、テフロン（登録商標）やフッ素でのコーティング処置、ベアリング、磁力や圧力や静電気等による空隙の確保などの対応がなされることがより望ましい。また摺動による耐磨耗性や耐静電気性のある素材の利用やコーティングがなされることが望ましい。
【０１２６】
摺動溝７は摺動子６の動作方向や範囲を規定する働きをし、樹脂や板金に設けられた溝、レール、ベアリングの受け、樹脂すべり軸受け、磁力や圧力や静電気等による吸着と反発、などが用いられる。また摺動溝７側としても摺動子６が円滑に動作するよう、潤滑油塗布、テフロン（登録商標）やフッ素でのコーティング処置、ベアリング、磁力や圧力や静電気等による空隙の確保などの対応がなされることがより望ましい。また摺動による耐磨耗性や耐静電気性のある素材の利用やコーティングがなされることが望ましい。
【０１２７】
回転クランク８は、機能的には第１のコネクティングロッド３や第２のコネクティングロッド５に相当するものであり、板金上の金属または樹脂が用いられる。樹脂としては熱耐性の強さからＡＢＳ樹脂などが望ましい。
【０１２８】
次にその動作を図６（ｂ）及び（ｃ）を用いて説明する。
（１）第１の筐体１００１と第２の筐体１００２のスライドが閉じられた状態のとき
図６（ｂ）のように摺動子６としての第１の支点２は、６ａの位置にある。ノイズピックアップセンサ１の一端（第２の支点１０側）は回転クランク８に連動しているため、第３の支点１１との間で、ノイズピックアップセンサ１の形状は縮められてループ状またはコイル状（第１の形状１ａ）になる。筐体閉じ状態で主たるノイズ源のモードが磁界型のモードであるとすれば、ノイズピックアップセンサ１の形状は最適となる。
（２）第１の筐体１００１と第２の筐体１００２のスライドが開けられた状態のとき
摺動子６としての第１の支点２は、第２の筐体１００２のスライド動作に伴って、摺動溝７中を規制されながら移動し、６ｂの位置で止まる。このとき、第１の支点２は回転クランクを支点を軸に回転させるため、回転クランク８のノイズピックアップセンサ１の一端（第２の支点１０側）は回転クランク８に連動しているため、第３の支点１１との間で、ノイズピックアップセンサ１の形状は伸ばされて線状（第２の形状１ｂ）になる。筐体開き状態で主たるノイズ源のモードが電界型のモードであるとすれば、ノイズピックアップセンサ１の形状は最適に調整される。以降の動作は既に説明済みであるため、省略する。
【０１２９】
以上説明したように、本発明の第６の実施形態に係るノイズキャンセルシステムでは、第２の支点４は回転クランク８の回転軸として機能し、第１の筐体１００１と第2の筐体１００２の摺動溝７の中を摺動子６としての第１の支点２が移動可能な構成とすることにより、機器の形状変化による運動の方向を回転動作を含んでより複雑に変化できるため、さらに多様なピックアップセンサの形状変化に対応が可能となる。そのため最適な形状にノイズピックアップセンサを変形可能なため、形状に応じた特性に変化させることができ、対象ノイズをさらに高い利得でセンシングでき、より一層精密なノイズキャンセル動作ができることとなる。
【０１３０】
（第７の実施形態）
本実施形態では、第１の実施形態で説明した内容をスライド型端末で実施する場合の実施例を説明する。
【０１３１】
図７（ａ）は本発明の第７の実施形態に係るノイズキャンセルシステム（通信機器）のノイズピックアップセンサの動作例を示す構成図である。また、図７（ｂ）は図７（ａ）でのノイズピックアップセンサ１の動きが判り易いように一部機能を抜粋した構成図（ループ形状）であり、図７（ｃ）は図７（ａ）でのノイズピックアップセンサ１の動きが判り易いように一部機能を抜粋した構成図（ポール形状）である。
【０１３２】
いま筐体は、第１の筐体１００１と第２の筐体１００２の上下２つに分割されており必要に応じて上下の筐体をスライドさせた形状で使用する、いわゆるスライド型端末である。図４（ａ）（ｂ）において、既に説明済みの図面と附番が同じものは同一の構成・機能・動作を示すので、詳細な説明は省略する。
【０１３３】
第４の実施形態で説明したとおり、スライド型端末では、第１の筐体１００１と第２の筐体１００２がずれることにより開閉動作（機能変化）が行われるため、ノイズピックアップセンサ１と主たるノイズ源が異なる筐体に存在する場合、その筐体のズレ量そのものをセンサに伝えることで、第１の支点２や第２の支点１０や第1のコネクティングロッド３による移動変換を必ずしも行わなくとも、同様の作用が可能となる場合がある。本発明の第７の実施形態に係るノイズピックアップセンサ１は、１つのエレメントにより伸縮可能なパッチアンテナで構成されている。
【０１３４】
図７（ａ）〜（ｃ）において、第１の支点２や第1のコネクティングロッド３や第２の支点１０は同一点であり、第2の筐体１００２の裏面（第1の筐体１００１との接触面側）にあるノイズピックアップセンサ１上にあり伸縮可能なアンテナの一端と連動している。つまり、動きを伝える作用としては存在するが、物理的には第１の支点２や第1のコネクティングロッド３は存在せず、第2の筐体１００２の裏面（第1の筐体１００１との接触面側）にノイズピックアップセンサ１の一端（第２の支点１０）が貼り付けられた状態であり、第2の筐体１００２とともに支点が移動するため、第１の筐体１００１に対して可動である。
【０１３５】
そして伸縮可能なアンテナの他端（第３の支点１１）はノイズ源デバイスに対して固定されているため、筐体のスライド動作に伴って、伸縮可能なパッチアンテナで構成されたノイズピックアップセンサ１のアンテナエレメントを伸縮可能な構成である。アンテナエレメントの変形形状は、第１の実施形態と同様であり、第２の支点１０の動きに連動して、ノイズピックアップセンサ１の形状を線状（モノポールまたはダイポールアンテナ）かループ状（ループアンテナ）かを最適に変化できる。
【０１３６】
以上説明したように、本発明の第７の実施形態に係るノイズキャンセルシステムでは、機器筐体の形状変化によりノイズ源のモードが変わっても、筐体のスライド動作に伴って、伸縮可能なパッチアンテナで構成されたノイズピックアップセンサ１のアンテナエレメントを簡単な構成で変化させることにより、ノイズピックアップセンサ１の形状を線状（モノポールまたはダイポールアンテナ）かループ状（ループアンテナ）かを最適に変化できるため、ピックアップセンサの性質や特性を変化させることができる。また、ノイズ源のモードに応じた特性のピックアップセンサを複数配置せずとも、対象とするノイズ源からのノイズだけを高い利得で簡単な構成にてセンシングできる。またそのため、より精密なノイズキャンセル動作ができることとなり、所望の受信感度をより向上させることが出来る。
【０１３７】
（第８の実施形態）
本実施形態では、変形可能な構成としてのノイズピックアップセンサ１のアンテナエレメントの変形パターンが異なる場合として、ループ形状とパッチ形状とで形状が変化する場合について本発明の実施形態を説明する。図８（ａ）から図８（ｃ）を用いて、ノイズピックアップセンサの形状変化を説明する。
【０１３８】
図８（ａ）は本発明の第８の実施形態に係るノイズキャンセルシステム（通信機器）のノイズピックアップセンサ１の動きが判り易いように一部機能を抜粋した構成図（ループ形状）である。
また、図８（ｂ）は本発明の第８の実施形態に係るノイズキャンセルシステム（通信機器）のノイズピックアップセンサ１の動きが判り易いように一部機能を抜粋した構成図（ループ形状からパッチ形状に遷移中）である。
【０１３９】
また、図８（ｃ）は本発明の第８の実施形態に係るノイズキャンセルシステム（通信機器）のノイズピックアップセンサ１の動きが判り易いように一部機能を抜粋した構成図（パッチ形状）である。
【０１４０】
図８（ａ）〜（ｃ）において、既に説明済みの図面と附番が同じものは同一の構成・機能・動作を示すので、詳細な説明は省略する。いま説明済みの実施形態と異なるのはアンテナエレメントの変形パターンのみであるので、当該箇所のみの説明とし、その他の構成や作用・動作は説明済みの実施形態と同様であるので詳細な説明は省略する。
【０１４１】
本発明の第２の実施形態に係るノイズピックアップセンサ１は、伸縮可能な面１ｅと第２に支点１０と第３の支点１１のエレメントで構成され、伸縮可能な面１ｅは多数の分割されたエレメントが重なり合って１つの面を構成している。そしてその複数のエレメントはそれぞれ連動して形状のバランスをとりながら変形可能に構成されている。その構造はカメラの絞りリングの機構（虹彩絞り）と同様である。第１のコネクティングロッド３または第２のコネクティングロッド５と連接された第２の支点１０が固定端の第３の支点１１に対して動くと、複数の面はその相互の重なり具合が変化し、ループ状（環状）から面状（円盤状）まで変化をする。カメラの絞り機構でいうと、機械的な穴（伸縮可能な面１ｅの中央の穴）が大きくなったり小さくなったりして、絞りの値が変化することと同様の動作である。
【０１４２】
伸縮可能な面１ｅは、それを構成する複数のエレメントとして、複数枚の導電性の薄い板（絞り羽根）を重ね合わせて構成されている。いまの場合、羽根は８枚である。微小な力で短時間にスムーズに形状を変化できなければならないため、羽根の枚数は9枚程度の枚数が望ましい。また伸縮時に複数の羽根の間の電気的接続が安定して確保され、アンテナ（センサ）としての電気的な面積が変化可能に構成されていることが必要である。またノイズピックアップセンサ１の特性の観点から、２つの支点（第２の支点１０と第３の支点１１）の接続部分は絶縁体であることがより望ましい。
【０１４３】
第２の支点１０の動きによって、伸縮可能な面１ｅがループ状（環状）に開いている場合が図８（ａ）であり、伸縮可能な面１ｅがパッチ状（円盤状）に閉じている場合が図８（ｃ）である。図８（ｂ）はループ形状からパッチ形状に遷移中のピックアップセンサ１の形態を示す。
【０１４４】
これまでの実施形態で説明してきたとおり、いま第１の筐体１００１と第２の筐体１００２の動きから、主たるノイズのモードが磁界型となり、ループ状（環状）のループアンテナが好ましく状態になったときは図８（ａ）の形状に、主たるノイズのモードが電界型となり、パッチ状（円盤状）のパッチアンテナが好ましく状態になったときは図８（ｃ）の形状にノイズピックアップセンサ１の形状が変化するように構成する。
【０１４５】
以上説明したように、本発明の第８の実施形態に係るノイズキャンセルシステムでは、機器筐体の形状変化によりノイズ源のモードが変わっても、ノイズピックアップセンサ１の形状をループアンテナの形状かパッチアンテナの形状に最適に変化できるため、形状に応じた特性に変化させることができ、ノイズ源のモードに応じた特性のピックアップセンサを複数配置せずとも、対象とするノイズ源からのノイズだけを高い利得でセンシングできる。またそのため、より精密なノイズキャンセル動作ができることとなり、所望の受信感度をより向上させることが出来る。
【０１４６】
なお以上の実施形態では、第１のコネクティングロッド３または第２のコネクティングロッド５は、ノイズピックアップセンサ１の第１の支点１０に直接接続される場合を例に説明したが、中間媒体を介して、第１のコネクティングロッド３または第２のコネクティングロッド５とノイズピックアップセンサ１の第１の支点１０が接続されるよう構成されてもよい。特に、各々のコネクティングロッドの接続がノイズピックアップセンサの特性に影響する場合は、中間媒体を介した接続がより望ましい。
【０１４７】
また以上の実施形態では、対象機器として携帯電話端末を例示して説明したが、特に小型で多機能な受信回路または送信回路がある電子機器において、同様の優れた効果を発揮できる。例えば、スマートフォンと呼ばれるコンピュータ機能を持つ携帯電話や、ＰＤＡ（Personal Digital Assistants）や音楽再生用端末、ノートパソコンやモバイルサブノート、電子手帳や電子辞書、テキストエディタ専用機などである。
【０１４８】
また、小型で多機能である点や、発電機や点火プラグなどの影響を受けやすいカーナビゲーションシステムや車載オーディオ、車載テレビなどの車載機器での適用も可能である。また、パソコンと接続したりパソコンの周辺で使用する地デジチューナやデジタルラジオチューナ、またキャプチャーボードなどのパソコン周辺機器でも同様に使用可能である。
【０１４９】
その他、内部干渉による受信信号品質劣化を軽減する目的であらゆる受信回路または送信回路つきの電子機器に、本発明は適用が可能である。
【０１５０】
また上記説明した機器を含めて、送受信回路を伴っていない機器においても、例えば画像や音声への内部干渉ノイズの影響（例えば内部干渉ノイズによって、画像にノイズが入ったり、音声が乱れたりするなどの影響がある場合）を避ける目的にて、同様に本発明は有効に適用可能である。
【産業上の利用可能性】
【０１５１】
以上のように、本発明にかかるノイズキャンセルシステム（通信機器）は、機器内のノイズ源のモードに応じて異なる複数の特性のノイズピックアップセンサを設置することなく、最適な特性にてノイズピックアップをすることで安定したキャンセル動作ができる効果を有し、機器内部の回路等が発生する信号やその高調波成分の内部干渉による受信信号品質劣化、いわゆる機器の自家中毒問題の軽減に有用である。
【符号の説明】
【０１５２】
１    ノイズピックアップセンサ
２    第１の支点
３    第１のコネクティングロッド
４    第４の支点
５    第２のコネクティングロッド
１０    第２の支点
１１５    加算部
１００４    ワンセグ受信用アンテナ
１００８    第１ノイズ源
１００９    第２ノイズ源
１０１０    第３ノイズ源
１０１１    第４ノイズ源
１１１０    ノイズセンサ
１１２０    ノイズセンサ
１１３０    ノイズセンサ
１１４０    ノイズセンサ
１１５０    ノイズキャンセル部
１１５１    ノイズ生成部
１２０１    携帯端末
【図１（ａ）】
2011205318.tif 000003
【図１（ｂ）】
2011205318.tif 000004
【図１（ｃ）】
2011205318.tif 000005
【図１（ｄ）】
2011205318.tif 000006
【図１（ｅ）】
2011205318.tif 000007
【図１（ｆ）】
2011205318.tif 000008
【図２（ａ）】
2011205318.tif 000009
【図２（ｂ）】
2011205318.tif 000010
【図２（ｃ）】
2011205318.tif 000011
【図３（ａ）】
2011205318.tif 000012
【図３（ｂ）】
2011205318.tif 000013
【図３（ｃ）】
2011205318.tif 000014
【図４（ａ）】
2011205318.tif 000015
【図４（ｂ）】
2011205318.tif 000016
【図５（ａ）】
2011205318.tif 000017
【図５（ｂ）】
2011205318.tif 000018
【図５（ｃ）】
2011205318.tif 000019
【図５（ｄ）】
2011205318.tif 000020
【図６（ａ）】
2011205318.tif 000021
【図６（ｂ）】
2011205318.tif 000022
【図６（ｃ）】
2011205318.tif 000023
【図７（ａ）】
2011205318.tif 000024
【図７（ｂ）】
2011205318.tif 000025
【図７（ｃ）】
2011205318.tif 000026
【図８（ａ）】
2011205318.tif 000027
【図８（ｂ）】
2011205318.tif 000028
【図８（ｃ）】
2011205318.tif 000029
【図９】
2011205318.tif 000030
【図１０】
2011205318.tif 000031